(57)【要約】【課題】ピンホール効果を発揮できて、しかも、サングラス効果によって、円錐角膜や不正乱視を原因とする不規則な光の入射を阻止できるようにする。  【解決手段】半透明性の部材を含む遮光材料からなる遮光率の異なる２つの遮光部本体１８ａ，１８ｂと、角膜の中心と網膜の中心とを結ぶ光軸を含む遮光部本体１８ａの位置に設けられ、入射光を透過させるピンホール１２を有し、遮光部本体１８ａの外周囲に遮光部本体１８ｂが配置され、ピンホール１２を通る光が曲らずに直進し網膜上の本来の焦点上も通過するというピンホール効果が得られる遮光率の範囲内に遮光部本体１８ａの遮光率が設定され、遮光部本体１８ｂが青色系及び黄色系の少なくともいずれか一方の光エネルギーを弱めて特定の波長の光の入射を阻止するというサングラス効果が得られる遮光率の範囲内に遮光部本体１８ｂの遮光率が設定されるものである。【選択図】  図１
2015018179.tif 000002
【特許請求の範囲】
【請求項１】
角膜に装着可能なコンタクトレンズであって、
散瞳時の瞳孔径よりも大きい径を有して、前記角膜に入射する入射光を遮光する遮光部と、
前記遮光部の径よりも大きい径を有して前記遮光部の前面および後面を被覆し、かつ、前記入射光を透過させる光透過材料からなるレンズ本体とを備え、
前記遮光部は、
半透明性の部材を含む遮光材料からなる遮光率の異なる２つの遮光部本体と、
前記角膜の中心と網膜の中心とを結ぶ光軸を含む第１の前記遮光部本体の位置に設けられ、前記入射光を透過させる開口部を有し、
前記第１の遮光部本体の外周囲に第２の前記遮光部本体が配置され、
前記第１の遮光部本体の開口部を通る光が曲らずに直進し網膜上の本来の焦点上も通過するという効果をピンホール効果とし、
前記第２の遮光部本体が青色系及び黄色系の少なくともいずれか一方の光エネルギーを弱めて特定の波長の光の入射を阻止するという効果をサングラス効果としたとき、
前記第１の遮光部本体の遮光率は前記ピンホール効果が得られる遮光率の範囲に設定され、
前記第２の遮光部本体の遮光率は前記サングラス効果が得られる遮光率の範囲に設定される
ことを特徴とするコンタクトレンズ。
【請求項２】
前記第１及び第２の遮光部本体を含む前記遮光部の全体の遮光率をρｃとしたとき、前記遮光率ρｃは、５０％≦ρｃ≦８０％に設定される請求項１に記載のコンタクトレンズ。
【請求項３】
前記第１の遮光部本体の遮光率をρ１とし、前記第２の遮光部本体の遮光率をρ２としたとき、
前記遮光率ρ１は８０％≦ρ１＜１００％の範囲に設定され、
前記遮光率ρ２は７０％≦ρ２＜９５％の範囲に設定され、
前記遮光率ρ１及びρ２との間において、ρ１＞ρ２となる大きさの関係に設定される請求項２に記載のコンタクトレンズ。
【請求項４】
前記レンズ本体の径をＤａとしたとき、径Ｄａが１３．５ｍｍ≦Ｄａ≦１５．０ｍｍの大きさの範囲に設定され、
前記遮光部の径をＤｂとしたとき、径Ｄｂが６．０ｍｍ≦Ｄｂ≦１１．０ｍｍの大きさの範囲に設定される
ことを特徴とする請求項１に記載のコンタクトレンズ。
【請求項５】
前記開口部の径をＤｃとしたとき、径Ｄｃが２．０ｍｍ以下の範囲に設定される
ことを特徴とする請求項１から３のいずれか１項に記載のコンタクトレンズ。
【発明の詳細な説明】
【技術分野】
【０００１】
本発明は、角膜に装着して使用される視力補正用のコンタクトレンズに関する。詳しくは、レンズ本体に対する遮光部本体の遮光率を最適に設定して、ピンホール効果を十分発揮できるようにした。その上で、角膜不正乱視、特に円錐角膜の患者に対しての視力補正用として適応でき、加えて、強烈な光が眼内に入ることをコントロール（制限）することにより、光による網膜へのダメージから眼を保護することを目的としたピンホールコンタクトレンズに適用可能なものである。
【背景技術】
【０００２】
ヒトが視認する被写体像は、角膜から入射された被写体光が角膜と水晶体で屈折されて硝子体に入る。そして、硝子体の裏面側の網膜で結像され、結像された視覚情報が視神経経由で大脳に送られることにより視覚として認識される。このとき、被写体光が網膜より前方や後方で結像すると、近視や遠視となる。角膜は眼球最前面に位置し、透明で厚さが５．５ｍｍ前後の柔らかい組織からなる。また、角膜や水晶体に歪みが生じると、網膜に焦点が合わず乱視となる。
【０００３】
ところで、一般的に補正可能な乱視とは、概ねラグビーボール状に角膜が歪んでいるため、その曲率の小さい方向にのみレンズで屈折矯正度数、すなわち円柱度数を加えれば視力が補正できる程度の症例をいう。しかし、角膜に規則性の無い歪みを持つ角膜不正乱視や、部分的な突出がある円錐角膜の場合には、その不規則性にレンズでは対応できず、眼鏡による矯正や視力補正ができない場合が多い。
【０００４】
円錐角膜は、角膜が原因不明に突出していく疾患として知られている。眼鏡あるいはソフトコンタクトレンズで補正できた視力が補正できなくなり、眼科を受診して初めて円錐角膜と診断される場合が多い。円錐角膜の検査には手持ち型のケラトスコープと呼ばれる簡易な非侵襲的検査器が用いられる。ケラトスコープは、同心円状の光の環をいくつか角膜に投影し、角膜表面の形態を観察するものである。
【０００５】
従来から円錐角膜は外下方の角膜が突出してくることが多いことが知られている。最近、日本人の体型の変化と同様に若年者の角膜が徐々に大きくなり、欧米人にみられる中央部突出型が増加している。円錐角膜の症状が進行すると角膜は円錐状に突出し薄くなり、透明な角膜が白く混濁していく。混濁により矯正視力が低下する場合が多い。
【０００６】
一方、視力補正に用いられるソフトコンタクトレンズは、レンズ自体が柔軟性を持つ柔らかい素材であるため、レンズが不規則に歪んだ角膜に沿って、共に歪むようになる。ゆえに、角膜への入射光が角膜へ入射する場所によって不規則な方向に屈折する。これにより、角膜不正乱視や円錐角膜に対してソフトコンタクトレンズは視力補正として使用することが難しい。
【０００７】
そのため、円錐角膜の患者は不規則に歪んだ角膜上でも歪まない形状保持力を持つPMMA（Polymethylmethacrylate：ポリメチルメタクリレート；ポリメタクリル酸メチル）製レンズやRGP（Rigid Gas Permeable Lens：酸素透過性レンズ）と呼ばれる、いわゆるハードコンタクトレンズを装用させる方法が採られる。この方法によれば、正確に球面加工されたレンズ表面により、角膜への入射光が規則性を持って曲げられ、眼内で焦点を結ぶため視力が補正できるようになる。
【０００８】
視力補正のそれ以外の方法としては、屈折矯正手術という方法もあるが、円錐角膜は角膜中心部が薄いため、施術後の角膜の強度を維持するために必要とされる角膜厚を残すことができない。これにより、円錐角膜患者はレーシック（LASIK）を含め屈折矯正手術の非適応眼とされ、除外対象とされている。このように、円錐角膜患者の場合、視力補正用具又はその補正方法としては、ハードコンタクトレンズ以外の選択肢が無いのが現状である。
【０００９】
なお、特許文献１には視力補正用のコンタクトレンズキットが開示されている。このコンタクトレンズキットによれば、透明なコンタクトレンズ本体と、そのコンタクトレンズ本体の中央部分に不透明レンズ部が設けられ、当該コンタクトレンズが散瞳状態で用いられる。角膜中央部や水晶体中央部に局所的な混濁により視力が不良であるような場合であっても、手術せずに視力を補正できるというものである。        
【００１０】
図７は、ヒトの眼の円錐角膜の説明例を示す断面図である。図７において、図中の二点鎖線は、健常者の角膜４０の位置である。円錐角膜の患者は、その突出厚をαとしたとき、症例にもよるが健常者よりα＝１〜３ｍｍ程度、突出している。円錐角膜に罹った角膜４０に光が入射すると、角膜４０を通過した光は水晶体４２及び硝子体４４を通過して網膜４６に到達するが、不規則な光が眼内で焦点が合うことなく散乱する場合が多い。
【００１１】
上述の網膜４６は桿体細胞４６ａ及び錐体細胞４６ｂからなり、角膜４０より入射した光を像や色または明るさとして認識する。桿体細胞４６ａは視細胞の一種であり、網膜４６上に存在し、色素としてロドプシンを有し、単独の視物質のみを発現させるため色覚には関与しない。桿体細胞４６ａは感度が高い。暗所では錐体細胞４６ｂはほとんど働かず桿体細胞４６ａが機能する。このため暗所では、物の形は判っても色ははっきりとは判別されない。
【００１２】
錐体細胞４６ｂも視細胞の一種であり、網膜４６の中心部である黄斑４７に密に分布する。錐体細胞４６ｂは異なる波長特性を持つ視物質を発現するため色覚の基礎となる。錐体細胞４６ｂは感度が低いため充分な光量を必要とする。網膜４６は強い光エネルギーによりダメージを受けやすい。たとえば、「太陽の光を直接見てはいけない」と言われるのは、強烈な光エネルギーによって網膜４６がダメージを受けてしまうからである。また、たとえわずかでも、紫外線や青色系の光（ブルーライト）を浴び続けるとその積み重ねは網膜４６にダメージを与え、加齢とともに増える眼病「加齢黄斑変性」の原因になる場合もあることが知られている。
【先行技術文献】
【特許文献】
【００１３】
【特許文献１】特開２００２−０４５１０５号公報
【発明の概要】
【発明が解決しようとする課題】
【００１４】
ところで、一般的な近視又は近視性乱視のヒトの角膜４０に、ハードコンタクトレンズを処方する際に、一つの目安として、角膜４０とレンズ内面とができるだけ広い面積で接するように処方されるが、ハードコンタクトレンズを円錐角膜患者に処方する場合、次のような問題がある。
【００１５】
ｉ．球形に近い角膜４０、すなわち健常眼の角膜の上に、球形の内面形状を持つハードコンタクトレンズを乗せた場合、角膜４０とレンズ内面とは広く接する。しかし、円錐角膜の場合、角膜４０の中央部に近い場所が過度に突出しているため、その角膜４０上に球面形状を持つハードコンタクトレンズを乗せても、健常眼程の接触面積を得られる場合が少ない。更には突出した角膜４０の中心部付近が局部的にレンズ内面と接触し、瞬きの度にその突出部とレンズの接触部に眼瞼による圧力が加わるため、強い痛みが伴う場合が多い。
【００１６】
ii．また、円錐角膜の患者が特許文献１に見られるようなソフトコンタクトレンズを何らの工夫無しに使用しても良好な視力が得られないのは、角膜４０に不規則な歪みが生じているためである。角膜中央部は入射光を遮光できても、その周辺部では角膜４０の場所によって不規則な方向に屈折してしまうためである。この不規則な方向への屈折は、眼内に入射する角膜４０の面積が広いほど現れやすい。従って、円錐角膜や不正乱視を原因とする不規則な光が眼内に入射すると、網膜４６、特に、桿体細胞４６ａにダメージを与えるという問題がある。
【００１７】
iii．更に、光エネルギーが比較的強く波長の短い光線が円錐角膜に入射し、水晶体４２及び硝子体４４を透過して錐体細胞４６ｂに到達すると、黄班にダメージを与えて黄班変性症を発生するという問題がある。
【００１８】
なお、本件出願人は角膜に装着して使用する角膜矯正用コンタクトレンズに関する特許出願（特願２０１３−１１０９６５号）を行っており、現在、出願審査中である。先願はピンホール効果が得られる内側の遮光部本体の遮光率に対してその外周囲の遮光部本体の遮光率を最適に設定し、更に、眼内に入射する光エネルギーを最大限取り込むために、必要最低限の遮光率と遮光部面積を設定している点で技術的な特徴を有している。
【００１９】
そこで、本発明は、上記課題に鑑みてなされたものであり、不規則な光の眼内への入射を阻止できるようにすると共に、特定の波長の光が角膜や水晶体を透過して網膜へ到達するのを阻止できるようにしたコンタクトレンズを提供することを目的とする。
【課題を解決するための手段】
【００２０】
上記課題を解決するために、本発明に係る請求項１に記載のコンタクトレンズは、角膜に装着可能なコンタクトレンズであって、散瞳時の瞳孔径よりも大きい径を有し、前記角膜への入射光を遮光する遮光部と、前記遮光部の径よりも大きい径を有して前記遮光部の前面および後面を被覆し、かつ、前記入射光を透過する光透過材料からなるレンズ本体とを備え、前記遮光部は、半透明性の部材を含む遮光材料からなる遮光率の異なる２つの遮光部本体と、前記角膜の中心と網膜の中心とを結ぶ光軸を含む第１の前記遮光部本体の位置に設けられ、前記入射光を透過する開口部を有し、前記第１の遮光部本体の外周囲に第２の前記遮光部本体が配置され、前記第１の遮光部本体の開口部を通る光が曲らずに直進し網膜上の本来の焦点上も通過するという効果をピンホール効果とし、前記第２の遮光部本体が青色系及び黄色系の少なくともいずれか一方の光エネルギーを弱めて特定の波長の光の入射を阻止する効果をサングラス効果とするとき、前記ピンホール効果が得られる遮光率の範囲内に前記第１の遮光部本体の遮光率が設定され、前記サングラス効果が得られる遮光率の範囲内に前記第２の遮光部本体の遮光率が設定されるものである。
【００２１】
請求項２に記載のコンタクトレンズは請求項１において、前記第１及び第２の遮光部本体を含む前記遮光部の全体の遮光率をρｃとしたとき、前記遮光率ρｃは、５０％≦ρｃ≦８０％に設定されるものである。
【００２２】
請求項３に記載のコンタクトレンズは請求項２において、前記第１の遮光部本体の遮光率をρ１とし、前記第２の遮光部本体の遮光率をρ２としたとき、前記遮光率ρ１は８０％≦ρ１＜１００％の範囲に設定され、前記遮光率ρ２は７０％≦ρ２＜９５％の範囲に設定され、前記遮光率ρ１及びρ２との間において、ρ１＞ρ２となる大きさの関係に設定されるものである。
【００２３】
請求項４に記載のコンタクトレンズは請求項１において、前記レンズ本体の径をＤａとしたとき、径Ｄａが１３．５ｍｍ≦Ｄａ≦１５．０ｍｍの大きさの範囲に設定され、
前記遮光部の径をＤｂとしたとき、径Ｄｂが６．０ｍｍ≦Ｄｂ≦１１．０ｍｍの大きさの範囲に設定されるものである。
【００２４】
請求項５に記載のコンタクトレンズは請求項１から３のいずれか１項において、前記開口部の径をＤｃとしたとき、径Ｄｃが２．０ｍｍ以下の範囲に設定されるものである。
【発明の効果】
【００２５】
本発明に係るコンタクトレンズによれば、ピンホール効果が得られる遮光率の範囲内に第１の遮光部本体の遮光率が設定され、サングラス効果が得られる遮光率の範囲内に第２の遮光部本体の遮光率が設定されるものである。
【００２６】
この構成によって、中心部の光だけを網膜の中心部分に入射させるピンホール効果を発揮することが可能となり、更に、サングラス効果によって、円錐角膜や不正乱視を原因とする不規則な光の入射を阻止することも可能となる。これにより、従来方式のような不規則な光が角膜や水晶体を透過して網膜へ到達するのを阻止できるので、網膜を保護することも可能となる。しかも、眩しさの原因となる特定の波長の光が角膜や水晶体を透過して網膜へ到達することを阻止できるため、黄班変性症の発症を防止できるようになる。これにより、円錐角膜用に効果的なピンホールコンタクトレンズを提供できるようになる。
【図面の簡単な説明】
【００２７】
【図１】本発明の実施の形態としてのピンホールコンタクトレンズ１００の構成例（その１）を示す斜視図である。
【図２】（Ａ）及び（Ｂ）は、ピンホールコンタクトレンズ１００の構成例（その２）を示す平面図及びＸ１−Ｘ１矢視断面図である。
【図３】（Ａ）〜（Ｃ）は、ピンホールコンタクトレンズ１００の遮光部本体１８ａ，１８ｂの配置例を示す断面図である。
【図４】ピンホールコンタクトレンズ１００の装着例（その１）を示す正面図である。
【図５】ピンホールコンタクトレンズ１００の装着例（その２）を示す断面図である。
【図６】ピンホール効果及びサングラス効果の説明例を示す断面図である。
【図７】円錐角膜の説明例を示す断面図である。
【発明を実施するための形態】
【００２８】
以下、図１〜図６を参照して、本発明を実施するための最良の形態（以下実施の形態とする）について説明する。  
【００２９】
［ピンホールコンタクトレンズ１００の構成例］  
図１に示すピンホールコンタクトレンズ１００は、コンタクトレンズの一例を構成し、特に円錐角膜に罹ったヒトの眼に装着可能なピンホールコンタクトレンズである。図１において、ピンホールコンタクトレンズ１００は遮光部１０及びレンズ本体１６を備えている。ピンホールコンタクトレンズ１００によれば、図４に示すような角膜４０の中心部の光だけを網膜４６の中心部分に入射させるピンホール効果を発揮でき、しかも、サングラス効果によって、円錐角膜や不正乱視を原因とする不規則な光の眼内への入射を阻止できるようにした。すなわち、角膜４０より眼内に入射する光のうち、角膜４０の中心部付近へ入射する光以外を遮断またはその中心部の光に比べ、その光エネルギーを低減させる。このことで、角膜中心部からの入射光だけが網膜４６に到達されれば、円錐角膜でも良好な視力を取得できるという技術的発想に基づいている。
【００３０】
遮光部１０は、散瞳時の瞳孔径よりも大きい径を有しており、角膜４０への入射光を制限するものである（図４及び図５参照）。遮光部１０は遮光率の異なる二つの遮光部本体１８ａ，１８ｂと、遮光部本体１８ａの中心位置に設けられたピンホール１２から構成されている。
【００３１】
遮光部本体１８ａの周辺は視野狭窄を防ぐために半透明であることが好ましい。遮光部本体１８ａの外周囲には遮光部本体１８ｂが配置される。図２の（Ａ）において、Ｄａはレンズ本体１６の径（外径）であり、Ｄｂ１は遮光部本体１８ａの径であり、Ｄｂ２は遮光部１０の径であって、遮光部本体１８ｂの径Ｄｂでもある。径Ｄａは、瞬きによるレンズ本体１６の上下移動を最小限にするために、角膜４０よりも大きいことが好ましい。
【００３２】
Ｄｃはピンホール１２の径（遮光部１０の内径）である。この例で、径ＤｃをＤｃ≦２．０ｍｍの大きさの範囲に設定する。この範囲の設定は、角膜４０の中心部付近の延長上に存在する網膜中心窩に対して、できるだけ並行な面からのみ光を眼内に取り入れるためである。それ以上の面積を持たせると不規則な角膜面からの光が眼内に入射するようになり、適切なピンホール効果が得られなくなる。例えば、径Ｄｃを１．２ｍｍ≦Ｄｃ≦１．８ｍｍの範囲に設定すると、多焦点レンズの加入度数に相当する近見視力を得ると共に、近視、遠視による遠方視力の向上および乱視補正の効果を得るようになる。
【００３３】
例えば、ピンホール１２の径Ｄｃを１．２ｍｍ〜１．８ｍｍの大きさの範囲で変化させた際に、その径Ｄｃの大きさの変化により、おおよそ１．００〜３．００Ｄの加入度数に相当する近方視力が得られることが分かった。なお、図２の（Ｂ）は、図２の（Ａ）に示したピンホールコンタクトレンズ１００のＸ１−Ｘ１矢視断面図である。図２の（Ａ）に示すピンホール１２の中のＣはピンホールコンタクトレンズ１００の中心点である。
【００３４】
ピンホール１２は、開口部の一例であり、図４及び図５に示すように、遮光部本体１８ａ，１８ｂ（レンズ本体１６）の中心であり、かつ、角膜４０の中心と網膜４６の中心とを結ぶ（眼軸；光軸）Ｏを含む遮光部本体１８ａの中心位置に穿設（開口）されている。ピンホール１２の孔形状は、入射光の回折を防止するため、正円であることが好ましい。
【００３５】
ピンホール１２は、角膜４０への入射光の光束を一定量に制限して網膜４６に像を結像させる機能を有すると共に、ピンホール１２の径Ｄｃの大きさに応じて多焦点レンズの加入度数に相当する効果を奏するものである。ピンホール１２は、遮光部本体１８ａの中心において、入射光を透過させるように機能する。この機能によれば、入射光のうちレンズ本体１６の中心を通る光は、曲がらずに真っ直ぐに進み、網膜４６上の本来の焦点上も通過することが知られている。このピンホール１２を通すことで、その中心の入射光だけを選択して他の光を遮断（制限）する効果が得られる。以下、これをピンホール効果と呼ぶこととする。
【００３６】
遮光部本体１８ａ，１８ｂは、角膜４０の表面形状に沿わせるように、例えば、図２の（Ｂ）に示す曲面を有した平面視円形状の部材であって、角膜４０への入射光を制限するために半透明性の部材を含む遮光材料からなる。遮光部本体１８ａ，１８ｂの材質としては、すでに安全が確立され実際の虹彩付きソフトコンタクトレンズに使用されている材料が好適に用いられる。例えば、カーボンブラック、アゾ系着色剤（赤系）やフタロシアニン系着色剤（青系）の材料を用いることができる。その組み合わせによって調合された物でも良い。また、製造方法としては、染色やプリント加工などの方法があるが、何れも染料や着色材により、レンズ本体１６の表面または裏面に摩擦につながる凹凸ができないようにする。
【００３７】
遮光部本体１８ａ，１８ｂの厚みは、レンズ周囲（後述する透過部１６ｃ等）の光線を遮断（制限）するサングラス効果が得られる厚みであれば、薄くすることが好ましい。ここにサングラス効果とは、遮光部本体１８ｂが青色系及び黄色系の少なくともいずれか一方の光エネルギーを弱めて特定の波長の光の眼内への入射を阻止する効果をいう。
【００３８】
このサングラス効果によって、角膜４０より眼内に入射する光を遮断またはその光エネルギーの強さを低減（制限）させることができ、光によるダメージから網膜４６を保護することができる。すなわち、遮光部本体１８ｂの遮光率ρ２が高いほどその効果として期待できる。そこで、ピンホール効果とサングラス効果（網膜保護）という２つの効果と、日常生活を送る上での明るさの確保とを両立させるための遮光部１０の全体（濃度）として遮光率をρｃとすると、遮光率ρｃは５０％以上に設定される。
【００３９】
なお、ピンホールコンタクトレンズ１００の可視光線透過率をσ［％］としたとき、遮光率ρｃ［％］と可視光線透過率をσ［％］との間にはσ＝（１００−ρｃ）という関係が有り、可視光線透過率σは５０％以下に設定される。つまり、遮光部１０はピンホール１２の直近とその周辺とで可視光線透過率σを変化させても良いが、中心に近いほど可視光線透過率σを下げるようにする。
【００４０】
この例ではサングラス効果を上げるために、中心に近いほど可視光線透過率σを低下させることで、「色の３原色である赤（Ｒ）・緑（Ｇ）・青（Ｂ）の色を正しく認識できる範囲が何％である。」というように遮光部本体１８ａ，１８ｂの遮光率ρ１，ρ２を設定（限定）するとよい。すなわち、光は色として区別することができる。網膜４６には、赤色波長(６１０nm)近傍の光に共鳴してその光のエネルギーを吸収し興奮する細胞と、緑色波長(５５０nm)近傍の光を共鳴吸収して興奮する細胞と、青色波長(４５０nm)近傍の光を吸収共鳴して興奮する細胞がある（錐体細胞）。その光のうち波長５８０nm付近の黄色系の相対的な光エネルギーは他の色に比べて強いため、黄緑色や黄色やオレンジ色等は可視光線透過率σを低下させても色としては認識しやすい。
【００４１】
しかし、波長５００nm以下の青色系の紫色や青色、深い緑色等や、波長６５０nm以上の赤色系の光を持つ深い赤色は可視光線透過率σを下げると、正確な色として判断（判別）し難くなる。可視光線透過率σとしては、色認識として５０％以上を必要とするが、ピンホール効果を得るために、遮光部本体１８ａ，１８ｂを含む遮光部１０の全体の遮光率をρｃとしたとき、遮光率ρｃは５０％≦ρｃ≦８０％に設定される。この範囲の遮光率ρｃを得るため、遮光率ρ１は例えば８０％≦ρ１＜１００％の範囲に設定し、遮光率ρ２は７０％≦ρ２＜９５％の範囲に設定する。
【００４２】
なお、遮光部本体１８ａ，１８ｂとが単色の遮光部材（ＲＧＢ色の補色）で構成される場合や、遮光部１０が瞳孔径以下の場合は、ピンホール１２からの光エネルギーと、その直近に設けた遮光部本体１８ａからの光エネルギーの強さに差が無くなるため、ピンホール効果が得られなくなる。そこで、遮光率ρ２の遮光部本体１８ｂから入射する光エネルギーの強さと、遮光率ρ１の遮光部本体１８ａから入射する光エネルギーの強さとの間にわずかでも差を付けることにより、ピンホール１２からの光だけを認識できるようにする（ピンホール効果）。
【００４３】
この例では、遮光部本体１８ｂの径Ｄｂ２は視野狭窄を防ぐためにレンズ本体１６の径Ｄａ以下であることが好ましい。しかも、眼内に不規則な光の入射を防ぐために、瞳孔４３よりも大きい概ね０．５ｍｍ以上の直径を有した方が良い。この例で、遮光部１０の径Ｄｂ（＝Ｄｂ２）は、６．０ｍｍ≦Ｄｂ≦１１．０ｍｍの大きさの範囲に設定される。
【００４４】
径Ｄｂは、眼内に入射する光エネルギーを遮蔽または最小限とするための遮光率ρ１，ρ２及び最大限の遮光部１０の面積Ｓｂを得るように設定される。遮光部本体１８ａは、ピンホール効果を考慮して、また、遮光部本体１８ｂの径Ｄｂ２は、サングラス効果や年齢に応じて変化する散瞳時の瞳孔径（暗所での瞳の大きさ）等を考慮して設定される。なお、ピンホールコンタクトレンズ１００が単色の場合、すなわち、遮光部本体１８ｂが存在しない場合、遮光部本体１８ａの径Ｄｂ１が５．０ｍｍ未満である場合には、ピンホール効果が得られなくなることが確認されている。もちろん、遮光部本体１８ｂが存在する場合は、遮光率ρ２によるが５．０ｍｍ未満であっても、ピンホール効果が得られる。
【００４５】
上述したピンホール効果を得るためには、被写体と網膜４６の間に設けた、ピンホール１２からほぼ直線で入射する光と、それ以外の周辺部から入射する光とを区別しなくてはならない。一般的にピンホールの原理を利用したピンホールカメラ等では、中心に設けたピンホールから入射する光と、それ以外から入射する光エネルギーとを１００対０という方法で区別している。
【００４６】
つまり、ピンホール１２以外から入射する光を完全に遮光することで、ピンホール効果を得ているが、光学機器とは異なり、ヒトの眼は、わずかな優位性があれば、その光だけを認識することができる。具体的には、網膜４６に入射する光の強さが、ピンホール１２からの光エネルギーの強さと、それ以外からの光エネルギーの強さにわずかでも差（ピンホール１２からの光エネルギー＞それ以外からの光エネルギー）を付けることで、ピンホール１２からの光だけを認識できるようになる。
【００４７】
例えば、ピンホール１２からの光エネルギーを１００％とし、それ以外からの光エネルギーの強さも１００％の場合、光エネルギーとしての差が無いため、ピンホール効果は得られないが、仮にピンホール１２からの光エネルギーの強さを１００％とし、それ以外からの光エネルギーの強さが９０％の場合、そこには１０％の光エネルギーの差が生じる。このため、ピンホール１２からの光エネルギーを認識し、わずかではあるがピンホール効果を得ることができる。当然その差が大きいほど、ピンホール効果は得られやすいが視界は暗くなり、視野は狭くなる。
【００４８】
レンズ本体１６は、遮光部１０の径よりも大きい径を有して遮光部１０の前面および後面を被覆し支持する。例えば、レンズ本体１６は角膜４０の表面形状に沿うような曲面（曲率）を有した平面視円形状の部材であって、入射光を透過させる光透過材料により構成されている。レンズ本体１６には、一般的なソフトコンタクトレンズに使用される素材が適用される。その材質は含水性ソフトコンタクトレンズに使用される、ハイドロキシエチルメタクリレート（ＨＥＭＡ）、Ｎ−ビニルピロリドン（Ｎ−ＶＰ）、ジメチルアクリルアミド（ＤＭＡＡ）、グリセロールメタクリレート（ＧＭＡ）、シリコンハイドロゲル（ＳＨ）等が好適である。
【００４９】
また、レンズ本体１６の材質として、非含水性ソフトコンタクトレンズや、含水性ソフトコンタクトレンズに使用される、シリコンラバー、ブチルアクリレート、ジメチルシロキサンも好適に用いられる。なお、光を透過させることが可能であれば、透明でなくても、青や赤等の色付きの材質を利用しても良い。
【００５０】
レンズ本体１６は、交換型や使い捨て型のソフトコンタクトレンズとして用いられる。近視や遠視、乱視の度数の軽いヒトの場合には、度数を加えなくても遠方または近方両方の視力を得られると考えられる。それ以外の場合には、ユーザの近視や遠視の状態に応じた度数をレンズ本体１６に加えることもできる。遮光部本体１８ｂの周辺部に位置するレンズ本体１６の透過部１６ｃは、サングラス効果を高めるために省略してもよい。
【００５１】
この例では、図２に示したレンズ本体１６の径Ｄａは、ソフトコンタクトレンズに限定しているため、１３．５ｍｍ≦Ｄａ≦１５．０ｍｍの大きさの範囲に設定される。すなわち、径Ｄａは、遮光部本体１８ｂの径Ｄｂ２よりも大きく、かつ、図４に示すように、少なくとも角膜４０のＤ１径（例えば１２ｍｍ）よりも大きく選定され、例えば１４ｍｍ程度に選定される。これは、レンズ本体１６の径Ｄａを角膜径未満とした場合、レンズが角膜４０上で大きく動き、角膜４０の中心とピンホール１２の中心Ｃとが大きくずれて、安定した視力を確保できないからである。
【００５２】
また、レンズ本体１６の径Ｄａを１５ｍｍ超とした場合、レンズ本体１６を角膜４０に装着することが困難となるからである。このような径Ｄａを有するレンズ本体１６は、レンズ本体１６を構成する前面部と後面部とにより、遮光部本体１８ａ，１８ｂの前面および後面を挟持（被覆）するようにして遮光部本体１８ａ，１８ｂと一体に成形される。
【００５３】
ここで、図３の（Ａ）〜（Ｃ）を参照して、ピンホールコンタクトレンズ１００の遮光部本体１８ａ，１８ｂの配置例について説明する。図３の（Ａ）に示す遮光部本体１８ａ，１８ｂの第１の配置方法によれば、ピンホールコンタクトレンズ１００の後面部としての半球面状のレンズ部材（以下レンズ後面部１６ｂという）の上に、ピンホール１２を有した環状の遮光部本体１８ａと遮光部本体１８ｂとを同心円状に配置する。
【００５４】
このとき、遮光部本体１８ａの外縁部と、遮光部本体１８ｂの内縁部とが突き合わされ、擦り合うように配置する。遮光部本体１８ａには、例えば、遮光率１００％のアゾ系着色剤（赤系）やフタロシアニン系着色剤（青系）を用いた印刷部材をレンズ部材上に被着し、遮光部本体１８ｂには、例えば、遮光率８０％の上述の印刷部材を同様に被着する。印刷部材の被着は、既存の印刷工程によって行うことができる。そして、遮光部本体１８ａ、遮光部本体１８ｂ上に前面部としての半球状のレンズ部材（以下レンズ前面部１６ａという）を形成するようにする。
【００５５】
図３の（Ｂ）に示す遮光部１０の第２の配置方法によれば、上述した半球面状のレンズ後面部１６ｂの上に、まず、ピンホール１２を有した環状の遮光部本体１８ｂを重ねて配置する。そして、遮光部本体１８ｂ上にピンホール１２を有した環状の遮光部本体１８ａを配置する。その後、半球面状にレンズ前面部１６ａを形成するようにする。印刷部材については上述した通りである。
【００５６】
図３の（Ｃ）に示す遮光部１０の第３の配置方法によれば、レンズ後面部１６ｂの上に、まず、ピンホール１２を有した環状の遮光部本体１８ａを配置する。そして、遮光部本体１８ａ上にピンホール１２を有した環状の遮光部本体１８ｂを重ねて配置する。その後、レンズ前面部１６ａを形成するようにする。印刷部材については上述した通りである。図中、１６ｃは透過部である。上述の透過部１６ｃは省略してもよい。
【００５７】
このように遮光部１０をレンズ本体１６の前面部と後面部との間に挟み込むことにより、遮光部１０をレンズ本体１６の内部に埋め込んだ状態としている。つまり、レンズ本体１６の厚み方向における略中心に遮光部１０を配置させることで、遮光部１０を外部に露出させない構造としている。これらにより、レンズ本体１６の前面部や後面部に余計な摩擦が生じることを防止できるので、ピンホールコンタクトレンズ１００が光軸からずれることを回避することができ、安定した視力を確保できる。さらに、レンズ本体１６が角膜４０に固着することを防止できるので、安全性を確保できる。
【００５８】
この例では、遮光部本体１８ａの遮光率ρ１はピンホール効果が得られる遮光率の範囲内に設定され、遮光部本体１８ｂの遮光率ρ２は、サングラス効果が得られる遮光率の範囲内に設定される。例えば、遮光部１０の全体の遮光率ρｃを５０％≦ρｃ≦８０％に設定するために、遮光部本体１８ａの遮光率ρ１の範囲が８０％≦ρ１＜１００％に設定され、遮光部本体１８ｂの遮光率ρ２の範囲が７０％≦ρ２＜９５％に設定される。Ｄｂ２＝１１ｍｍの場合、ρ２＝６０％未満（Ｄｂ２＝６ｍｍの場合は、ρ２＝５０％未満）であると、遮光部１０の全体の遮光率ρｃが５０％未満となってしまい、十分なサングラス効果が得られないことが計算上で確認されている。下限値は余裕を持ってρ２≧７０％とした。上限値をρ２＜９５％としたのは、ピンホール効果を得るために遮光率ρ１及びρ２との間において、ρ１＞ρ２となる大きさの関係に設定したためである。
【００５９】
このように設定したのは、遮光部本体１８ａの中心で十分なピンホール効果を得て、その外周部でサングラス効果を得るためである。なお、遮光部本体１８ａの遮光率ρ１が５０％未満ではピンホール効果が得られなくなることが確認されている。
【００６０】
この例で、円錐角膜用のピンホールコンタクトレンズ１００の光学特性を決定する場合、遮光部本体１８ａの遮光率をρ１［％］とし、ピンホール１２の面積をΔｓとし、この面積Δｓを除く遮光部本体１８ａの面積をＳ１とし、遮光部本体１８ｂの遮光率をρ２［％］とし、遮光部本体１８ｂの全体の面積からΔｓを除いた面積をＳ２として、当該遮光部本体１８ｂの面積Ｓ２に対する遮光部１０の遮光率をρｃ’［％］としたとき、遮光率ρｃ’は（１）式、すなわち、
ρｃ’＝｛（ρ２×（Ｓ２−Ｓ１）＋（ρ１×Ｓ１）｝／Ｓ２  
・・・・・・（１）
で与えられる。
【００６１】
この例では、レンズ本体１６の全体の面積をＳａとし、ピンホール１２の面積Δｓを除く遮光部１０の面積をＳｂとして、当該レンズ本体１６の全体の面積に対する遮光率をρｃ［％］としたとき、遮光率ρｃは、（２）式、すなわち、
ρｃ＝ρｃ’×（Ｓｂ／Ｓａ）                      ・・・・・・（２）
で与えられる。さらに、レンズ本体１６の全体の可視光線の透過率をσ［％］としたとき、透過率σは、（３）式、すなわち、
σ＝（１００−ρｃ）                              ・・・・・・（３）
で与えられ、当該ピンホールコンタクトレンズ１００の光学特性を決定できるようになる。
【００６２】
例えば、レンズ本体１６の径Ｄａ（角膜４０のＤ１径でもよい）が１４ｍｍで、遮光部本体１８ａの径Ｄｂ１が４ｍｍで、その遮光率ρ１が１００［％］で、遮光部本体１８ｂの径Ｄｂ２が１１ｍｍで、その遮光率ρ２が７０［％］で、ピンホール１２の径Ｄｃが１．４ｍｍであるピンホールコンタクトレンズ１００において、遮光部本体１８ｂの面積Ｓ２に対する遮光部１０の遮光率ρｃ’［％］は、（１）より、ρｃ’＝７３．５４１［％］となり、レンズ本体１６の全体の面積に対する遮光率ρｃ［％］は、（２）より、ρｃ＝５４．１１８［％］となり、レンズ本体１６の全体の可視光線の透過率をσ［％］は、（３）式より、σ＝４５．８８１［％］となる。同条件で、Ｄｂ２が６ｍｍの場合は、ρｃ’＝８２．３８３［％］、ρｃ＝６０．６２５［％］、σ＝３９．３７０［％］である。この条件の場合、ρ２＝４５．４２４％を境界にしてρｃ＝５０％が得られなくなる。従って、最もサングラス効果に影響を及ぼすＤｂ２＝６ｍｍの場合のρ２を余裕を持って７０％以上に設定する。
【００６３】
なお、遮光率ρ２を除く、他の寸法値及びパラメータを同一条件にして、遮光率ρ２＝６０［％］を設定すると、遮光率ρｃ＝４７．０６４％が得られ、ピンホール効果は得られるものの目標とするサングラス効果が得られないことが計算上で確認されている。すなわち、遮光部本体１８ａ，１８ｂの遮光率ρ１，ρ２を、ρ１＞ρ２の条件を保ちながら徐々に下げて行くと、遮光部１０の全体としての遮光率ρｃが下がってくる。可視光線透過率σが上ってくると共に、ピンホール効果が得られ難くなり、サングラス効果も下がってくる。サングラス効果もピンホール効果も遮光部１０の全体としての遮光率ρｃが１００％に近づくほど良くなる。
【００６４】
［ピンホールコンタクトレンズ１００の機能例］
次に、図４、図５及び図６を参照して、本実施の形態に係るピンホールコンタクトレンズ１００をヒトの眼４００に装着したときの機能例について説明する。ピンホールコンタクトレンズ１００は上述の光学特性を有したもので、図４及び図５に示すように特に円錐角膜症を罹ったヒトの眼４００の角膜４０上に装着される。もちろん、健常者のヒトの眼４００の角膜４０上に装着してもよい。図５において、４２は水晶体、４３は瞳孔、４４は硝子体、４６は網膜である。なお、眼４００の構造については、その説明を省略する。
【００６５】
図中の二点鎖線は健常者の角膜４０の位置であり、円錐角膜症を罹ったヒトの眼４００の角膜４０は、αだけ前方位置に突出している点が特徴となる。ρｃ＝５４．１１８［％］のピンホールコンタクトレンズ１００を装着することで、ρ１＝１００％の遮光部本体１８ａのピンホール効果によって、中心部の光だけを網膜４６の中心部分に入射させることができる。すなわち、遮光部本体１８ｂが無い場合に比べて規則性を持たない光の入射を遮光部本体１８ｂで遮断できるようになる。
【００６６】
像（光）は、図６に示すように、レンズ前面部１６ａ、ピンホール１２およびレンズ後面部１６ｂを通過して角膜４０に入射される。角膜４０に入射した像は、角膜４０、瞳孔４３および水晶体４２を経て眼球内部の硝子体４４に入り、硝子体４４の裏面側の網膜４６上に結像される。
【００６７】
このとき、ピンホール１２により眼球内部に入射する光量（光速）は拡散されずに一定に制限されるので、遠方を見る場合や近方を見る場合においても網膜４６上の同じ位置で常に像が結像される。そのため、ピンホールコンタクトレンズ１００を使用することで、軽い近視や遠視、乱視、老眼の何れのヒトに対しても焦点位置を網膜４６上に合わせることができるようになるので、軽い近視や遠視、乱視、老眼の何れの視力補正にも対応することが可能となる。
【００６８】
また、図６に示すようにサングラス効果によって、ρ１＝１００％の遮光部本体１８ａを含むその周囲に配置されたρ２＝７０％の遮光部本体１８ｂからの光が遮断される。遮光部本体１８ｂは青色系（波長５００nm以下）及び黄色系（波長５８０nm付近）の少なくともいずれかのエネルギーの強い光が角膜４０や水晶体４２を透過して網膜４６へ到達するのを阻止する。紫外線や青色系の光（ブルーライト）の進入を阻止できることで、「加齢黄斑変性」の原因を取り除くことができる。
【００６９】
このように実施の形態としてのピンホールコンタクトレンズ１００によれば、遮光部本体１８ａの遮光率ρ１はピンホール効果が得られる８０％≦ρ１＜１００％の範囲に設定され、遮光部本体１８ｂの遮光率ρ２はサングラス効果が得られる７０％≦ρ２＜９５％の範囲に設定されるものである。
【００７０】
この構成によって、中心部の光だけを網膜４６の中心部分に入射させるピンホール効果を発揮できて、しかも、サングラス効果によって、円錐角膜や不正乱視を原因とする不規則な光の入射を阻止できるようになる。これにより、従来方式のような不規則な光が角膜４０や水晶体４２を透過して網膜４６へ到達するのを阻止できるので、網膜４６を保護できるようになる。
【００７１】
しかも、眩しさの原因となる波長５００nm以下の青色系及び波長５８０nm付近の黄色系の光が角膜４０や水晶体４２を透過して網膜４６の中心窩へ到達するのを阻止できるので、黄班変性症の発症を防止できるようになる。これにより、ソフトコンタクトレンズのように柔軟なタイプの円錐角膜用のピンホールコンタクトレンズを提供できるようになる。
【００７２】
なお、遮光部本体１８ａ，１８ｂにフィルム状の遮光部材を使用する場合について説明したが、これに限られることはなく、これらに偏光部材を使用してもよい。偏光部材を使用すると、ピンホール効果を発揮できて、しかも、周辺が明るい場合は、眼内を暗くし、周辺が暗い場合は眼内を明るくする自動明るさ調整機能付きのピンホールコンタクトレンズを提供できるようになる。また、遮光部本体１８ａ，１８ｂを単色、すなわち、遮光部本体１８ｂを省略して遮光部１０とする場合は、遮光部本体１８ａの遮光率ρ１についてピンホール効果及びサングラス効果が得られる７０％≦ρ１＜１００％の範囲に設定するとよい。
【符号の説明】
【００７３】
１００・・・ピンホールコンタクトレンズ、１０・・・遮光部、１２・・・ピンホール（開口部）、１６・・・レンズ本体、１６ｃ・・・透過部、１８ａ，１８ｂ・・・遮光部本体、４０・・・角膜、４３・・・瞳孔、４６・・・網膜、Ｏ・・・光軸
【図７】
2015018179.tif 000003
【図１】
2015018179.tif 000004
【図２】
2015018179.tif 000005
【図３】
2015018179.tif 000006
【図４】
2015018179.tif 000007
【図５】
2015018179.tif 000008
【図６】
2015018179.tif 000009